(57)【要約】　　　（修正有）【課題】柔軟性と伸縮性があり、柔軟立体物の曲面に沿って張り合わせることができるとともに、荷重分布の時間的変化の計測が可能な感圧シートを提供する。【解決手段】柔軟性と伸縮性に優れた織物や編物等の布をシート素地として利用し、感圧センサーをマトリックス状に配置する。これにより布の柔軟性と伸縮性を損なうことのない感圧シートを製作することができる。また、上布の導電性がある糸と下布の導電性がある糸の交点に、荷重により電気的抵抗値が変化する感圧センサーの両端を電気的に接合することにより、荷重分布の時間的変化の計測が可能となる。【選択図】　　図１
2004132765.tif 000002
【特許請求の範囲】
【請求項１】
導電性のある複数の糸３を交差することなく織り込みまたは編み込みまたは縫い込んだ上布１と；
導電性のある複数の糸３を交差することなく織り込みまたは編み込みまたは縫い込んだ下布２を；
上布１の導電性がある糸３と下布２の導電性がある糸３が、交差するように上下に重ね合わせ、上布１と下布２の導電性がある糸３の交点に、荷重により電気的抵抗値が変化する感圧センサー４の両端を電気的に接合することで得られる感圧シート。
【発明の詳細な説明】
【０００１】
【発明の属する技術分野】
本発明は、圧縮荷重分布を計測する技術に関する。
【０００２】
【従来の技術】
単点の荷重計測にはロードセルの使用が一般的であるが、荷重分布計測には多量のセンサーが必要となる。しかしロードセルは高価なため、多量の使用はコスト的に困難であり実用的でない。
【０００３】
現在ある圧縮荷重分布計測法としては富士写真フィルム（株）から市販されている　「プレスケール」に見られるように、荷重でマイクロカプセルをつぶしてカプセル内のインクを放出させ、つぶれた面積から圧縮荷重を計測する方法がある。
この方法は荷重の最大値を記録するものであり、荷重分布の時間的変化を計測できないという欠点がある。
【０００４】
また、米国Ｔｅｋｓｃａｎ社では、感圧インクを含有したフイルムを用い、圧縮荷重によりフイルム両面間の抵抗値が変化することを利用した感圧シートがある。
しかし、フイルムの柔軟性と伸縮性がないため、柔軟な立体物の曲面に沿って張り合わせることができない欠点がある。
【０００５】
【発明が解決しようとする課題】
柔軟性と伸縮性があり、柔軟立体物の曲面に沿って張り合わせることができるとともに、荷重分布の時間的変化の計測が可能な感圧シートを提供する。
【０００６】
【課題を解決するための手段】
柔軟性と伸縮性に優れた織物や編物等の布をシート素地として利用し、感圧センサーをマトリックス状に配置する。これにより布の柔軟性と伸縮性を損なうことのない感圧シートを製作することができる。
【０００７】
また、上布の導電性がある糸と下布の導電性がある糸の交点に、荷重により電気的抵抗値が変化する感圧センサーの両端を電気的に接合することにより、荷重分布の時間的変化の計測が可能となる。
【０００８】
【発明の実施の形態】以下、本発明を添付図面に示す実施形態に基づき詳しく説明する。なお、
図１は請求項目１による感圧シートの構成例、
図２はシリコーン・カーボン系の感圧センサーの特性例、
図３は計測回路例、
図４は人の足裏にかかる荷重分布の計測例である。
【０００９】
圧縮荷重によりその両端の抵抗値が変化する感圧センサーは、液体シリコーンとカーボン粉末を混合し、架橋反応により固化させたものを用いる。例えば、液体シリコーンを重量１００に対しカーボン粉末を重量１２０の割合で混合し、架橋反応により固化させた場合、図２のように荷重とコンダクタンス（抵抗値の逆数）が比例する特性が得られる。
【００１０】
ただし、曲線の傾きは材質だけでなく、資料の厚みでも変化する。たとえば厚みが２倍になり荷重が同じであれば両端の抵抗値は２倍になり、コンダクタンスは１／２になるので曲線の傾きも変化する。
一方、資料の面積は曲線の傾きに影響しない。例えば、面積が２倍になっても荷重が２倍になれば資料への加圧条件は同じなので同じ特性となる。このときコンダクタンスも２倍となるので荷重と相殺し曲線の傾きへの影響は生じない。
【００１１】
感圧センサーの両端を布に接合される方法は、液体シリコーンとカーボン粉末を混合し液体状態のものを布に滴下し、架橋反応により固化されることで行う。架橋反応で固化後は、布に機械的に接続された状態となり、今回のように布に導電性がある糸が織り込まれている場合は、接触により電気的にも接合される。
【００１２】
図１に請求項目１による感圧シートの構成例を示す。　上布１および下布２にそれぞれ３２本の導電性がある糸３を織物の横糸として織りこみ、上布１と下布２の導電性がある糸の方向が互いに直交するように重ね合わせ、その交点に荷重により電気的抵抗値が変化する感圧センサー４の両端を前述の方法で電気的に接合する。
これにより、すべての感圧センサーが上布１の１つの導電性がある糸３と下布２の１つの導電性がある糸３に電気的に接合された状態となり、マトリックス状の回路網が形成される。
【００１３】
次に、図３に計測回路例を示す。ただし説明を簡単にするため、縦２列、横２列とする。
【００１４】
一般に、マトリックス状の配線には回り込み電流の問題が生じる。今、１本の導電性がある糸３と１本の導電性がある糸３に電位差を与えると、その交点となる感圧センサー４を通る電流の他に、他の３つの感圧センサーを直列に経由した回り込み電流が存在し正確な計測ができない。
【００１５】
そこで、縦の１本の導電性がある糸３と、横の全ての導電性がある糸３の間に同じ電位差を与える。横の導電性がある糸３同士の間に電流が流れなくなるので、上述の回り込み電流を解消することができる。
【００１６】
図３では、横の導電性がある糸３を抵抗５の一端とオペアンプ６のマイナス入力に接続し、オペアンプ６の出力を抵抗体５の他端に接続する。全てのオペアンプ６のプラス入力には同じ電圧を与える。これにより横の全ての導電性がある糸３にはオペアンプ６のイマージナルショートと呼ばれる機能により、オペアンプ６のプラス入力と同じ電位が与えられる。
【００１７】
また、横の導電性がある糸に流れる電流は、該当する感圧センサー４に流れる電流でもある。この電流は接続する抵抗体５にも流れ、オペアンプ６の出力電圧は電流値と抵抗体５の抵抗値の積となり、抵抗値は既知であるので、オペアンプ６の出力を計測すれば電流値を求めることができる。
【００１８】
どの感圧センサー４を選択するかの切り替えはスイッチ８とスイッチ９で行う。スイッチ８は選択する感圧センサー４の縦の導電性がある糸３に直流電源７で接地電圧に対しマイナス電圧を与えている。他の縦の導電性がある糸はオープンとなる。
スイッチ９は選択する感圧センサー４の横の導電性がある糸３が接続されているオペアンプ６の出力とアナログ出力１０とを接続し、他のオペアンプ６の出力はオープンとなる。
【００１９】
以上のように回路を構成し、スイッチ８とスイッチ９を切り替えることで、全ての感圧センサー４に流れる電流値を計測することができ、電位差は既知なので感圧センサーの抵抗値およびその逆数であるコンダクタンス値を得ることができる。あらかじめ計測した荷重とコンダクタンスのグラフから、荷重値を計算し、圧縮荷重分布の計測が可能となる。
【００２０】
図４は以上の方法で人の足裏にかかる荷重を計測した例である。感圧シートは縦３２列、横３２列である。上が足のつま先に当り、下側がかかとである。左足は前面着地、右足はつま先立ちの状態での荷重分布を示している。
図中の数値は感圧センサーにかかる圧縮荷重をニュートン単位で表した数値であり、色は荷重の大小により４段階に色づけして表現している。
【００２１】
本発明の実施形態は概ね上記のとおりであるが、本発明はこの実施形態に限定されるものではなく、「特許請求の範囲」の記載内で種種の変更が可能である。
【００２２】
【発明の効果】
本発明により、柔軟立体物の曲面に沿って張り合わせることができるとともに、荷重分布の時間的変化の計測が可能な感圧シートが実現できる。
例えば靴下や靴の中敷に本発明による感圧シートを貼り付け、人が運動中に靴の中で生じる荷重分布の時間的変化を計測することなどが可能となる。
【図面の簡単な説明】
【図１】請求項目１による感圧シートの構成例である。
【図２】シリコーン・カーボン系の感圧センサーの特性例
【図３】計測回路例
【図４】人の足裏にかかる荷重分布の計測例
【符号の説明】
１　上布
２　下布
３　導電性がある糸
４　感圧センサー
５　抵抗体
６　オペアンプ
７　直流電源
８　スイッチ
９　スイッチ
【図１】
2004132765.tif 000003
【図２】
2004132765.tif 000004
【図３】
2004132765.tif 000005
【図４】
2004132765.tif 000006